(57)【特許請求の範囲】
【請求項１】
新設の防水シートを筒状の既設の防水シートに対して隣接する縁部同士をラップさせながら巻き付けて順次継ぎ足して行くことにより、シールド掘進機で掘削した地下坑の周辺地山とセグメントとの間に防水シートを筒状に布設する場合に、新設の防水シートと既設の防水シートのラップ部を接合するのに用いられ、このラップ部を挟み込んで自走しながら接合することのできる自走式の接合機と、この接合機を支持してそのラップ部を接合できる位置に位置させるための接合機支持部材と、この接合機支持部材をテールプレート内周面に沿って旋回駆動する駆動機構とを備えた防水シートの接合装置において、駆動機構により旋回駆動され、旋回駆動される過程で新設の防水シートを既設の防水シート側に寄せるようにガイドして新設の防水シートと既設の防水シートのラップ部の幅を所定の幅に揃えるようにすることができる防水シートガイド手段を設けたことを特徴とする防水シートの接合装置。
【請求項２】
駆動機構がモータとこのモータにより減速機構を介して回転駆動される旋回リングとを有し、接合機支持部材がこの旋回リングに取り付けられたアームであって、このアームに、接合機をガイドする接合機ガイド手段が取り付けられており、防水シートガイド手段がこのアームに取り付けられて駆動機構により旋回駆動されることを特徴とする請求項１の防水シートの接合装置。
【請求項３】
駆動機構がモータとこのモータにより減速機構を介して回転駆動される旋回リングとを有し、防水シートガイド手段が自走式の接合機の自走方向前方に位置するように旋回リングに取り付けられて駆動機構により旋回駆動されることを特徴とする請求項１の防水シートの接合装置。
【請求項４】
防水シートガイド手段に、新設の防水シートを径方向の位置が揃うようにガイドする径方向ガイド片を付設したことを特徴とする請求項１、請求項２又は請求項３の防水シートの接合装置。
【請求項５】
防水シートガイド手段がテールプレートの軸方向に位置を調整して固定することができるようにアームに取り付けられていることを特徴とする請求項２の防水シートの接合装置。
【発明の詳細な説明】
【０００１】
【発明の属する技術分野】
本発明は、新設の防水シートを筒状の既設の防水シートに対して隣接する縁部同士をラップさせながら巻き付けて継ぎ足して行くことにより、シールド掘進機で掘削した地下坑の周辺地山とセグメントとの間に防水シートを筒状をなして布設する場合に、新設の防水シートと既設の防水シートのラップ部を接合するのに用いられる防水シートの接合装置に関する。
【０００２】
【従来の技術】
シールド掘進機で地下坑の掘進作業を行う場合、掘削した地下坑の周壁内側に沿ってセグメントを組み立てるが、そのセグメントの組立ては、単位セグメントを何度も継ぎ足すことにより進められるため、組み立てられたセグメントの各所に継ぎ目ができる。こうしたセグメントの継ぎ目は、地山からの地下水が浸入しないように通常シール材で密封されるが、そのシール材が劣化したり、さらにはセグメントにクラックが発生したりすることにより、地下坑内に地下水が浸入する恐れがある。こうしたことから、掘削した地下坑の周辺地山とセグメントとの間に、セグメントの外周を包囲するように、防水シートを筒状に布設することがある。防水シートをこうした態様で布設する技術は、従来から各種技術が提案されているが、有力な最近の技術としては、例えば、特開平７ー２１７３８９号公報に記載の技術を挙げることができる。
【０００３】
この特開平７ー２１７３８９号公報に記載の技術は、新しく布設しようとする新設の防水シートを、筒状をなしてすでに布設されている既設の防水シートに対し、隣接する縁部同士をテールプレート内でラップさせながら巻き付け、その結果形成された環状のラップ部を接合して、順次、継ぎ足して行くことにより、地下坑の周辺地山とセグメントとの間に防水シートを筒状に布設するようにしたものである。防水シートをこうした方法で布設する場合、新設の防水シートと既設の防水シートの環状のラップ部を円周方向に向けて接合する装置が必要になる。こうしたラップ部の接合に用いることのできる有力な防水シートの接合装置としては、特開平７ー２５９４９６号公報に記載の装置を挙げることができる。本発明は、この公報に記載されているような防水シートの接合装置を、防水シートの接合を正確に行えるように更に改良しようとするものである。
【０００４】
そこで、この特開平７ー２５９４９６号公報に記載の防水シート接合装置の概要を図４乃至図６に基づいて以下に説明する。図４は、従来の防水シート接合装置を設置したシールド掘進機の要部の縦断面図、図５は、従来の防水シート接合装置を設置したシールド掘進機の要部の横断面図、図６は、従来の防水シート接合装置の問題点を説明するための防水シートの布設状態を示す平面図である。なお、図５では、図面が錯綜しないように防水シートの図示は省略している。この従来の装置の技術内容を説明するに当たっては、用語や符号は、この公報に記載のものをそのまま用いないで、本発明との対応関係が明確になるように、できるだけ後述する本発明の具体化例に合わせるようにしている。
【０００５】
図４、図５及び図６において、１はシールド掘進機のシールド本体の後部をなすテールプレート、２はリングガーダ１ａに取り付けられ後記旋回リング３を回転可能に支持するローラー、３は図示していないモータにより減速機構を介して回転駆動される旋回リング、４はこの旋回リング３の後面にシールド本体１の軸方向に向けて取り付けられている接合機支持部材としてのアーム、５はセグメントの組立てを行うためのエレクタ、６は既設のセグメント１０で反力を取りながらシールド掘進機を推進するシールドジャッキ、７はこのシールドジャッキ６のシールドジャッキロッドである。ローラー２は、旋回リング３の内周方向に複数設けられ、その内周面に接触しながら旋回リング３を回転時に案内する。旋回リング３には、図示していないピニオンと噛み合う内歯歯車が形成され、図示していないモータの回転がそのピニオンを介して旋回リング３に減速されて伝動されるようになっている。旋回リング３は、テールプレート１の内面とシールドジャッキロッド７との間隙をくぐりながらテールプレート１と同心的に回転できるように設置されている。この旋回リング３は、アーム４を取り付けた場合、このアーム４をテールプレート１の内周面の至近位置に位置させ、その内周面に沿って旋回駆動する。したがって、アーム４も、旋回リング３と同様、テールプレート１の内面とシールドジャッキロッド７との間隙をくぐるようにしながら旋回する。アーム４は、後記接合機１１を支持して新設の防水シート９ａと既設の防水シート９のラップ部を接合できる位置に位置させる。このアーム４は、旋回リング３に取り付ける場合、旋回リング３に対して取外し自在に取り付けることのできる固着手段により取り付けられており、セグメントの組立て作業を行う場合等これが邪魔になるときには、適宜、旋回リング３から取り外して撤去できるようになっている。
【０００６】
８はアーム４に取り付けられて後記接合機１１をガイドする接合機ガイド手段、９は筒状をなしてすでに布設されている既設の防水シート、９ａはこの既設の防水シート９の内周面にラップした状態で巻きつけられている新しく布設しようとする新設の防水シート、１０は地下坑を覆工した既設のセグメント、１１はラップするシート状物を挟み込んで自走しながらそのラップする部分を接合する自走式の接合機である。詳細は図示していないが、自走式の接合機１１は、既設の防水シート９と新設の防水シート９ａのラップ部ａを一対の挟持用のローラーで挟み込んでその一方のローラーを電動機で回転駆動することにより、そのラップ部ａを密着させるように挟持しながら自走し、接合端子でそのラップ部ａを熱溶着できるようにしたものである。このように、自走式の接合機１１によれば、既設の防水シート９と新設の防水シート９ａのラップ部ａを密着状態でラップさせながら自走して接合が行えるため、人手の支援を要することなく、良好な接合が行える。しかしながら、この自走式の接合機１１は、通常、水平状態に置かれたシート間のラップ部を接合するのに用いられる。そして、防水シート９，９ａのように柔軟で筒状のシートのラップ部を接合するのに用いると、テールプレート１の上方近辺に自走した際、捻じれた姿勢で防水シート９，９ａにぶら下がるような状態となり、この状態のまま自走すると、自重により落下する危惧がある。こうした事態の発生を防ぐため、アーム４を、旋回リング３の回転駆動により自走式の接合機１１の自走に歩調を合わせて旋回させるようにして、接合機１１をアーム４で支持できるようにしている。接合機１１をアーム４で支持する場合、アーム４の旋回を接合機１１の自走に常に同期させることができれば、接合機１１をアーム４で直接支持するようにしてもよいが、図５及び図６に示す例では、接合機ガイド手段８を介してアーム４で支持するようにしている。
【０００７】
この接合機ガイド手段８は、自走式の接合機１１がアーム４の旋回速度に拘束されないで自走できるようにガイドする働きをし、接合機１１は、この接合機ガイド手段８を介してアーム４に支持されている。前記特開平７ー２５９４９６号公報に開示されているように、接合機ガイド手段８には種々のタイプのものがあるが、図５及び図６に図示されている接合機ガイド手段８は、ガイドプレート８ａと側壁８ｂとを備えたタイプのものであり、前記公報には、第３実施例の変形例として示されている。ガイドプレート８ａは、平面視において長方形をなし、その一方の長辺部がアーム４に直交するようにように取り付けられている。また、ガイドプレート８ａの各面のうち、テールプレート１の内面と対向する側の面は、接合機１１がテールプレート１の頂部近辺に自走した際、上を向くため、接合機１１を載置してガイドするガイド面となる。側壁８ｂは、ガイドプレート８ａの四周に立設され、接合機１１が逸走して脱落するのを阻止する働きをする。接合機ガイド手段８にこうしたタイプの用いたことに伴って、自走式の接合機１１は、テールプレート１の周方向に自走する過程で正逆何れの姿勢をとっても、テールプレート１の内面又はガイドプレート８ａのガイド面の何れかの面上を滑動できるようにするため、頂部側及び底部側の双方に滑動用ローラー（図示せず）を設けている。
【０００８】
従来の防水シートの接合装置は、以上のような構成を備えているので、新設の防水シート９ａが筒状の既設の防水シート９にテールプレート１内でラップして巻き付けられている状態において、旋回リング３を回転駆動して、アーム４をテールプレート１の内周面に沿って旋回させ、同時に、接合機１１の一対の挟持用のローラーで防水シート９、９ａのラップ部ａを挟み込み、電動機で一方のローラーを回転駆動すると、接合機１１は自走しながら熱溶着を行う。こうして熱溶着を行っている過程で、アーム４の旋回速度と接合機１１の自走速度が同期しないときでも、接合機１１は、アーム４の旋回速度に拘束されないでアーム４を追い掛け追い抜くようにして自走することができ、その間、オペレータは、アーム４の旋回速度を接合機１１の自走速度にできるだけ同期させるように、旋回リング３の速度を調節すればよい。接合機１１は、自走して図６に示すようにテールプレート１の上部に到達した際、下部で自走しているときとは逆の姿勢をとり、接合機１１の滑動用ローラーがガイドプレート８ａの前記ガイド面に接触してその面上に載置された状態になり、ガイドプレート８ａを介してアーム４に支持されることとなる。このように、接合機１１は、テールプレート１の上方近辺に自走した際、アーム４で支持されて自重により落下することがない。以上、接合装置の概要について述べたが、その詳細については前記特開平７ー２５９４９６号公報を参照されたい。
【０００９】
【発明が解決しようとする課題】
ところで、こうした従来の防水シートの接合装置により、既設の防水シート９と新設の防水シート９ａのラップ部ａを接合するとき、これらの防水シート９，９ａを、全周にわたって適正な幅で一様にラップさせるようにすることが必要である。しかるに、防水シートの布設作業が不適切である、布設した新設の防水シート９ａに外力が加わる等の原因により、図６に示すように、新設の防水シート９ａの後端が既設の防水シート９の前端に対して傾いたり、既設の防水シート９の側と反対方向にずれたりすると、ラップ部ａの間隔が小さくなったり、ラップ部ａがなくなったりする。そして、防水シート９，９ａのラップ部ａがこのように不揃いになったりなくなったりすると、自走式の接合機１１で防水シート９，９ａを溶着できなくなり、また、溶着できた場合でも、ラップ部ａの接合構造が不完全なものになる。
【００１０】
本発明は、従来の技術にこうした問題があることに鑑み、その改善を図ろうとするものであり、その技術課題は、自走式の接合機での防水シートの接合の際に防水シートのラップ部が不揃になったりなくなったりしない防水シートの接合装置を提供することにある。
【００１１】
【課題を解決するための手段】
本発明のこのような技術課題は、「新設の防水シートを筒状の既設の防水シートに対して隣接する縁部同士をラップさせながら巻き付けて順次継ぎ足して行くことにより、シールド掘進機で掘削した地下坑の周辺地山とセグメントとの間に防水シートを筒状に布設する場合に、新設の防水シートと既設の防水シートのラップ部を接合するのに用いられ、このラップ部を挟み込んで自走しながら接合することのできる自走式の接合機と、この接合機を支持してそのラップ部を接合できる位置に位置させるための接合機支持部材と、この接合機支持部材をテールプレート内周面に沿って旋回駆動する駆動機構とを備えた防水シートの接合装置において、駆動機構により旋回駆動され、旋回駆動される過程で新設の防水シートを既設の防水シート側に寄せるようにガイドして新設の防水シートと既設の防水シートのラップ部の幅を所定の幅に揃えるようにすることができる防水シートガイド手段を設けた」ことにより達成される。
【００１２】
本発明の防水シートの接合装置は、こうした技術手段を採用しているので、新設の防水シートを防水シートガイド手段でガイドできる位置にセットした後、防水シートのラップ部を接合するのに先立ち、自走式の接合機を設置しない状態で駆動機構により防水シートガイド手段を旋回駆動すると、防水シートガイド手段は、旋回駆動される過程で新設の防水シートを既設の防水シート側に寄せるようにガイドして新設の防水シートと既設の防水シートのラップ部の幅を所定の幅に揃えるようにする。こうして、防水シートのラップ部の幅を全周にわたって揃えるのに必要な角度だけ防水シートガイド手段を旋回させた後は、自走式の接合機を設置し、接合機支持部材を駆動機構で旋回駆動するとともに接合機を自走させて防水シートのラップ部を接合する。
【００１３】
本発明の防水シートの接合装置を具体化する場合に、特許請求の範囲の請求項２又は請求項３の技術手段を採用すれば、自走式の接合機を設置した状態で旋回リングを回転駆動するとともに接合機を自走させ、防水シートガイド手段により新設の防水シートを既設の防水シート側に寄せるようにガイドしながら、略同時並行的に防水シートのラップ部を接合機で接合することもできる。本発明の防水シートの接合装置を具体化する場合に、特許請求の範囲の請求項４の技術手段を採用すれば、防水シートガイド手段により新設の防水シートを既設の防水シート側に寄せるようにガイドする場合に、新設の防水シートの径方向位置を径方向ガイド片で整えながらガイドでき、そのガイドが円滑に行える。
【００１４】
【発明の実施の形態】
以下、本発明が実際上どのように具体化されるのかを示す具体化例を図１乃至図３に基づいて説明することにより、本発明の実施の形態を明らかにする。図１は、本発明の第１具体化例の防水シートの接合装置の要部を裏面側からみた平面図、図２は、図１のＩＩ−ＩＩ矢視図、図３は、本発明の第２具体化例の防水シートの接合装置の要部を示す図１と同様の図である。図１乃至図３において、図４及び図５と同一の符号を付けた部分は、これら両図と同等の部分を表しているので、説明の重複を避けるため詳述しない。
【００１５】
本発明の各具体化例の防水シートの接合装置は、図４及び図５に図示の従来の防水シートの接合装置と同様、新設の防水シート９ａを筒状の既設の防水シート９に対して隣接する縁部同士をラップさせながら巻き付けて順次継ぎ足して行くことにより、シールド掘進機で掘削した地下坑の周辺地山とセグメントとの間に防水シートを筒状に布設する場合に、新設の防水シート９ａと既設の防水シート９のラップ部ａを接合するのに用いられる。また、このラップ部ａを挟み込んで自走しながら接合することのできる自走式の接合機１１と、この接合機１１を支持してそのラップ部ａを接合できる位置に位置させるためのアーム４と、このアーム４を取り付けてテールプレート１の内周面に沿って旋回駆動する旋回リング３とこの旋回リング３をピニオンを介して回転駆動するモータとを有する駆動機構とを備えている点において、従来の防水シートの接合装置と変わらない。さらに、自走式の接合機１１が、アーム４に取り付けられアーム４の旋回速度に拘束されないで自走できるようにガイドする接合機ガイド手段８を介してアーム４に支持されている点でも、従来の防水シートの接合装置と変わらない。
【００１６】
まず、図１及び図２に基づいて、本発明の第１具体化例の防水シートの接合装置の技術内容を説明すると、１２はアーム４の基部すなわち旋回リング３への取り付け側端部に取り付けられた幅寄せガイド、１３はこの幅寄せガイド１２をアーム４に固着するためのボルトである。幅寄せガイド１２は、新設の防水シート９ａを軸方向にガイドする軸方向ガイド片１２ａと、この軸方向ガイド片１２ａに直交するように連設され、新設の防水シート９ａを径方向にガイドする径方向ガイド片１２ｂとで断面鉤形に形成され、軸方向ガイド片１２ａの端部に、幅寄せガイド１２をアーム４に固着するためのブラケット１２ｃが形成されている。軸方向ガイド片１２ａは、既設の防水シート９にラップして巻き付けられている新設の防水シート９ａの前端を当接させてガイドするガイド面を有し、幅寄せガイド１２を旋回させると、防水シート９ａの前端を、軸方向の位置が揃うようにそのガイド面でガイドする。したがって、幅寄せガイド１２を旋回駆動すると、その過程で新設の防水シート９ａを既設の防水シート９側に寄せるようにガイド面でガイドして、防水シート９，９ａのラップ部ａの幅を所定の幅に揃えることができる。径方向ガイド片１２ｂは、新設の防水シート９ａの前端部外周面をガイドするガイド面を有し、幅寄せガイド１２を旋回させると、その前端部外周面をガイドし、アーム４が新設の防水シート９ａの前端部内周面をガイドするのと相俟って、新設の防水シート９ａを、径方向の位置が揃うようにそのガイド面でガイドする。
【００１７】
既設の防水シート９は、既設セグメント１０の外周側にすでに布設されていて位置固定されており、新設の防水シート９ａは、この位置固定された既設の防水シート９の内周面に所定幅でラップして巻きつけられるため、新設の防水シート９ａの布設位置は自ずから定まる。そして、新設の防水シート９ａの幅は、予め決まっているため、新設の防水シート９ａが正しく布設されたなら、その防水シート９ａ前端部の軸方向の布設位置すなわち図２における前後方向の布設位置は自ずから定まる。また、新設の防水シート９ａは、位置固定された既設の防水シート９の内周面に密着するように巻きつけられるため、防水シート９ａ前端部の径方向の布設位置すなわち図２における上下方向の布設位置も自ずから定まる。幅寄せガイド１２は、新設の防水シート９ａが正しく布設された場合にこの防水シート９ａの前端がガイド片１２ａの後面に接する位置においてアーム４に取り付けられ、その後面がガイド面となって防水シート９ａの前端を位置決めする。その場合、新設の防水シート９ａの前端部は、径方向ガイド片１２ｂとアーム４とで形成される防水シート導入空間１２ｄに納められる。幅寄せガイド１２をアーム４に取り付ける場合、本具体化例では、既設の防水シート９の布設位置に誤差が生じた場合のことも考慮して、アーム４の長さ方向に位置調整できるように取り付けている。すなわち、アーム４に、その長さ方向に長いボルト挿通用の長穴をあけてあり、これにより、ボルト１３によるアーム４への幅寄せガイド１２の取り付け位置を変えられるようにしている。
【００１８】
以上のような構造を備えた第１具体化例の防水シートの接合装置を使用する場合、新設の防水シート９ａの前端部を幅寄せガイド１２の防水シート導入空間１２ｄに納めた後、防水シート９，９ａのラップ部ａを接合するのに先立ち、自走式の接合機１１を設置しない状態で旋回リング３を回転駆動する。そうすると、幅寄せガイド１２は、アーム４を介して旋回リング３で旋回駆動され、防水シート９ａの前端を、軸方向ガイド片１２ａで軸方向位置が揃うようにガイドするとともに、新設の防水シート９ａを、径方向ガイド片１２ｂでアーム４と協働しながら径方向位置が揃うようにガイドする。すなわち、新設の防水シート９ａの後端が既設の防水シート９の前端に対して傾いていたり、既設の防水シート９の側と反対方向にずれていたりすると、旋回駆動される過程で軸方向ガイド片１２ａのガイド面が新設の防水シート９ａを押し出して既設の防水シート９側に寄せるようにガイドし、防水シート９，９ａのラップ部ａの幅を所定の幅に揃える。その場合、新設の防水シート９ａの径方向位置を径方向ガイド片１２ｂで整えながら、その新設の防水シート９ａを既設の防水シート９側に寄せるようにガイドするので、軸方向ガイド片１２ａでの新設の防水シート９ａのガイドが円滑に行える。こうして、幅寄せガイド１２を３６０°旋回させた後は、従来の接合装置と同様の方法により、自走式の接合機１１を設置して防水シート９，９ａのラップ部ａを接合する。
【００１９】
以上、第１具体化例の防水シートの接合装置について、防水シート９，９ａのラップ部ａを接合するのに先立ち、旋回リング３を回転駆動してそのラップ部ａの幅を所定の幅に揃える使用方法を説明したが、本具体化例の防水シートの接合装置では、自走式の接合機１１を設置した状態で旋回リング３を回転駆動するとともに接合機１１を自走させ、新設の防水シート９ａを既設の防水シート９側に寄せるように幅寄せガイド１２でガイドしながら、略同時並行的に防水シート９，９ａのラップ部ａを接合機１１で接合するようにすることもできる。現に、本具体化例の防水シートの接合装置の実験機を使用して、こうした方法により防水シート９，９ａの接合作業を試みたところ、幅寄せガイド１２での新設の防水シート９ａの押出し量が大きくない限り、厚さ２ｍｍ程度の防水シートを途中で皺になることなく、移動させることができ、防水シート９，９ａのラップ部ａを良好に接合することができた。その場合、防水シート９，９ａの接合を開始する際には、当然のことながら、新設の防水シート９ａの前端を軸方向ガイド片１２ａに当接させて、接合開始位置での新設の防水シート９ａのラップ代を適正に整えることは必要である。
【００２０】
このように、本具体化例によれば、防水シート９，９ａのラップ部ａの幅を所定の幅に揃えてからそのラップ部ａを接合するので、自走式の接合機１１での防水シート９，９ａの接合の際に防水シート９，９ａのラップ部ａが不揃になったりなくなったりしない防水シートの接合装置が得られて、防水シート９，９ａのラップ部ａの接合品質を向上させることができる。本具体化例の防水シートの接合装置は、従来の防水シートの接合装置に、単に幅寄せガイド１２を付設しただけのものである。そして、その幅寄せガイド１２の駆動には、既存の駆動機構であるアーム４の駆動機構を有効に活用していて新たな駆動機構を設けなくても済み、その操作も、単に旋回リング３を駆動するだけの簡単な操作で足りる。したがって、本具体化例の防水シートの接合装置は、前記のような優れた効果を発揮するものでありながら、構造が簡単で操作も簡便である。
【００２１】
本具体化例の防水シートの接合装置では、こうした基本的効果に加え、次のような効果を併せ奏することができる。まず、第１に、新設の防水シート９ａを既設の防水シート９側に寄せるように軸方向ガイド片１２ａでガイドする場合、特に、径方向ガイド片１２ｂにより新設の防水シート９ａの径方向位置を整えながらガイドするようにしているので、軸方向ガイド片１２ａでの新設の防水シート９ａのガイドが円滑に行えて、防水シート９，９ａのラップ部ａを所定の幅に整然と揃えることができる。第２に、防水シート９，９ａのラップ部ａを所定の幅に揃える作業とそのラップ部ａを自走式の接合機１１で接合する作業とを略同時並行的に行えるので、全体の作業効率を向上することができる。第３に、幅寄せガイド１２が、特に、テールプレートの軸方向に位置を調整して固定することができるようにアームに取り付けられているので、既設の防水シートの布設位置に誤差がある場合でも、その誤差に応じて幅寄せガイド１２の位置を調整することにより、新設の防水シートを適正な位置に位置決めして、防水シート９，９ａのラップ部の幅を適正な幅に揃えることができる。第４に、幅寄せガイド１２が、特に、旋回リング３に取外し自在に取り付けられたアーム４に取り付けられているため、セグメントの組立て作業を行う場合等、アーム４を旋回リング３から取り外す必要が生じた際、幅寄せガイド１２もアーム４とともに自動的に撤去することができる。
【００２２】
次に、図３に基づいて、本発明の第２具体化例の防水シートの接合装置の技術内容を説明すると、第２具体化例では、幅寄せガイド１４を、第１具体化例の幅寄せガイド１２のようにアーム４に取り付けるのではなく、旋回リング３に取り付けるようにしている。すなわち、幅寄せガイド１４の前方側に取り付け部材１４ａを設け、取り付け部材１４ａを、図３に示すように、旋回リング３の後面に図示しないボルトで取り付けている。その場合、幅寄せガイド１４は、自走式の接合機１１の特に自走方向前方に位置するように旋回リング３に取り付けている。第１具体化例では、幅寄せガイド１２をアーム４に取り付けていて、このアーム４と協働して径方向ガイド片１２ｂで新設の防水シート９ａを径方向の位置が揃うようにガイドできるため、幅寄せガイド１２をその径方向ガイド片１２ｂと軸方向ガイド片１２ａとで断面鉤形に形成していたが、本具体化例では、幅寄せガイド１４は、アーム４に取り付けていないため、断面形状を第１具体化例のものと若干変えている。すなわち、新設の防水シート９ａの前端部外周面をガイドする径方向ガイド片のほか、その防水シート９ａの前端部内周面をガイドする径方向ガイド片を軸方向ガイド片に連設し、これら径方向ガイド片と軸方向ガイド片とで断面コ字状に形成して、新設の防水シート９ａを径方向の位置が揃うようにガイドできるようにしている。
【００２３】
この第２具体化例の防水シートの接合装置は、基本的には第１具体化例のものと同様の構造を備えているため、自走式の接合機１１での防水シート９，９ａの接合の際に防水シート９，９ａのラップ部ａが不揃になったりなくなったりしない防水シートの接合装置が得られて、そのラップ部ａの接合品質を向上させることができ、しかも、構造が簡単で操作も簡便であるという前記した第１具体化例の効果と同様の基本的効果を奏することができる。また、こうした基本的効果に加え、第１具体化例と同様、新設の防水シート９ａを軸方向ガイド片でガイドする場合に、新設の防水シート９ａの径方向位置を径方向ガイド片で整えながらガイドできそのガイドが円滑に行えて、防水シート９，９ａのラップ部ａを所定の幅に整然と揃えることができるとの効果、防水シート９，９ａのラップ部ａを所定の幅に揃える作業とそのラップ部ａを自走式の接合機１１で接合する作業とを略同時並行的に行えて全体の作業効率を向上することができるとの効果も併せ奏することができる。防水シート９，９ａのラップ部ａを所定の幅に揃える作業とそのラップ部ａを自走式の接合機１１で接合する作業とを略同時並行的に行う場合、幅寄せガイド１４が第１具体化例の幅寄せガイド１２と異なり、自走式の接合機１１の特に自走方向前方に位置するように旋回リング３に取り付けられていて、幅寄せガイド１４での新設の防水シート９ａの押出しが防水シート９，９ａの接合に対して第１具体化例より相対的に先行して行えるので、幅寄せガイド１４で新設の防水シート９ａを押し出す際、移動量が第１具体化例より相対的に大きくなっても、防水シート９ａを皺にならないように移動させることができる。幅寄せガイド１４は、ボルトで旋回リング３に取り付けられていて着脱可能なため、必要に応じて旋回リング３から取り外すことができる。
【００２４】
幅寄せガイド１４を旋回リング３に取り付ける場合、第２具体化例では固定的に取り付けているが、幅寄せガイド１２をアーム４に取り付ける場合と同様、旋回リング３の軸方向に位置調整できるように適宜の手段で取り付けるようにしてもよい。幅寄せガイド１４を旋回リング３に取り付ける場合、第２具体化例では自走式の接合機１１の自走方向前方に位置するように取り付けているが、防水シート９，９ａのラップ部ａを接合機１１で接合するのに先立ち、幅寄せガイド１４を少なくとも３６０°旋回させれば、幅寄せガイド１４を旋回リング３のどの位置に取り付けようと、防水シート９，９ａのラップ部ａの幅を全周にわたって所定の幅に揃えることができるので、幅寄せガイド１４を接合機１１の自走方向前方に位置するように取り付けことは、本発明にとって不可欠の要件ではない。新設の防水シート９ａを軸方向ガイド片でガイドする場合、第１具体化例及び第２具体化例では、新設の防水シート９ａの径方向位置を径方向ガイド片で整えながらガイドするようにしているが、径方向ガイド片は、軸方向ガイド片でのガイドが円滑に行えるようにするため特別に付設した付加的手段であるから、本発明にとって不可欠の要件ではなく、要は、旋回駆動される過程で新設の防水シート９ａを既設の防水シート９側に寄せるようにガイドして新設の防水シート９ａと既設の防水シート９のラップ部ａの幅を所定の幅に揃えるようにすることができる防水シートのガイド手段が設けられればよい。
【００２５】
【発明の効果】
以上の説明から明らかなように、本発明は、特許請求範囲の請求項１に記載の技術的事項を具備していること、特に、「駆動機構により旋回駆動され、旋回駆動される過程で新設の防水シートを既設の防水シート側に寄せるようにガイドして新設の防水シートと既設の防水シートのラップ部の幅を所定の幅に揃えるようにすることができる防水シートガイド手段を設けた」ことにより、自走式の接合機での防水シートの接合の際に防水シートのラップ部が不揃になったりなくなったりしない防水シートの接合装置が得られて、防水シートのラップ部の接合品質を向上させることができ、しかも、構造が簡単で操作も簡便であるという効果を奏する。本発明を具体化する場合に、特に、特許請求範囲の請求項２又は請求項３に記載の技術手段を採用すれば、こうした基本的な効果に加えて、防水シートのラップ部を所定の幅に揃える作業とそのラップ部を自走式の接合機で接合する作業とを略同時並行的に行えて作業効率を向上できるという効果を併せ奏することができる。そして、特に、特許請求範囲の請求項３に記載の技術手段を採用した場合には、新設の防水シートを防水シートガイド手段で既設の防水シート側に寄せる移動量が相対的に大きくなっても、防水シートを皺にならないように移動させることができる。また、本発明を具体化する場合に、特に、特許請求範囲の請求項４に記載の技術手段を採用すれば、防水シートガイド手段により新設の防水シートを既設の防水シート側に寄せるようにガイドする場合に、新設の防水シートの径方向位置を径方向ガイド片で整えながらガイドでき、そのガイドが円滑に行えて、防水シートのラップ部を所定の幅に整然と揃えることができるという効果を併せ奏することができる。本発明を具体化する場合に、特に、特許請求範囲の請求項５に記載の技術手段を採用すれば、既設の防水シートの布設位置に誤差がある場合でも、その誤差に応じて防水シートガイド手段の位置を調整することにより、新設の防水シートを適正な位置に位置決めして、防水シートのラップ部の幅を所定の適正な幅に揃えるようにすることができるという効果を併せ奏することができる。
【図面の簡単な説明】
【図１】本発明の第１具体化例の防水シートの接合装置の要部を裏面側からみた平面図である。
【図２】図１のＩＩ−ＩＩ矢視図である。
【図３】本発明の第２具体化例の防水シートの接合装置の要部を示す図１と同様の図である。
【図４】従来の防水シート接合装置を設置したシールド掘進機の要部の縦断面図である。
【図５】従来の防水シート接合装置を設置したシールド掘進機の要部の横断面図である。
【図６】従来の防水シート接合装置の問題点を説明するための防水シートの布設状態を示す平面図である。
【符号の説明】
１    テールプレート
３    旋回リング
４    アーム
６    シールドジャッキ
８    接合機ガイド手段
９    既設の防水シート
９ａ  新設の防水シート
１０    既設のセグメント
１１    自走式の接合機
１２    幅寄せガイド
１２ａ  軸方向ガイド片
１２ｂ  径方向ガイド片
１２ｃ  ブラケット
１３    ボルト
１４    幅寄せガイド
１４ａ  取り付け部材
【図１】
0003594744.tif 000002
【図２】
0003594744.tif 000003
【図３】
0003594744.tif 000004
【図４】
0003594744.tif 000005
【図５】
0003594744.tif 000006
【図６】
0003594744.tif 000007